(57)【特許請求の範囲】
【請求項１】
居室内に設置されデータの通信を行うデータ伝送部（１１）、呼出通話を行う呼出通話部（１２）を有する複数台の居室端末（１a・・・１f）と、マンション等の玄関に設置されデータの通信を行うデータ伝送部（２１）、通話路により呼出通話を行う呼出通話部（２２）、映像を撮影し映像路により映像を伝送するための映像撮像部（２３）を有する１台もしくは複数台の集合玄関機（２）とを備え、
前記居室端末の複数台に、画像データ、音声データおよびプログラムデータの少なくとも１つのデータを全ての居室端末のうち所定の居室端末（１a）に分割して予め保存するデータ記憶部（１４a）を設け、
前記全ての居室端末に、前記全ての居室端末のうち何れの居室端末に何れのデータが保存されているかが記憶されたデータ所在位置を予め保持する位置記憶部（１４b）を設けたことを特徴とする集合住宅用インターホン装置。
【発明の詳細な説明】
【０００１】
【発明の属する技術分野】
【０００２】
本発明は、集合住宅用インターホン装置に係わり、特に例えば、画面、音声、データを共有化することにより居室端末の不揮発メモリを削減できる集合住宅用インターホン装置に関する。
【従来の技術】
【０００３】
従来から、図４に示すような幹線Ｌ2で接続され居室端末３と集合玄関機４にて構成される集合住宅用インターホン装置が広く使用されている。
【０００４】
この集合住宅用インターホン装置において、居室端末３…は、図５に示すように、集合玄関機４とのデータ通信を行うデータ伝送部３１と、呼出通話を行う呼出通話部３２と、集合玄関機４で撮像された映像や居室端末３…、集合玄関機４間での呼出、通話に必要なメニュー画面を表示する表示部３３と、画像データ、音声データおよびプログラムデータを記憶するための記憶部３４と、予め録音された音声を再生する音声再生部３５とを有する。
【０００５】
集合玄関機４は、図６に示すように居室端末３…とのデータ通信を行うデータ伝送部４１と、呼出通話を行う呼出通話部４２と、映像を撮影する映像撮像部４３とを有する。
【０００６】
この集合住宅用インターホン装置では、居室端末３…に表示されるメニュー画面は全ての居室端末３…の記憶部３４に同じ画面が予め保存され、必要に応じて居室端末３…の表示部３３に表示される。図示の例において、居室端末３…には全て同じ画面データＡが保存されている。
【０００７】
居室端末３…より再生される音声は、全ての居室端末３…の記憶部３４に同じ音声データが予め保存され、必要に応じて居室端末３…の音声再生部３５より再生される。
【発明が解決しようとする課題】
【０００８】
従来の集合住宅用インターホン装置は、同じデータをそれぞれの居室端末の記憶部が保有しているため、居室端末内の記憶部が無駄に使われている。
【０００９】
本発明はこのような難点を解消するためになされたもので、データを分割して複数台の居室端末に分散し保存し、個々の居室端末の記憶部の容量が少なくて済むようにした集合住宅用インターホン装置を提供することを目的とする。
【課題を解決するための手段】
【００１０】
この目的を達成するため本発明の集合住宅用インターホン装置は、居室内に設置された複数台の居室端末とマンション等の玄関に設置された１台もしくは複数台の集合玄関機とを備えている。
【００１１】
居室端末は、データの通信を行うデータ伝送部、呼出通話を行う呼出通話部を有する。
【００１２】
集合玄関機は、データの通信を行うデータ伝送部、通話路により呼出通話を行う呼出通話部、映像を撮影し映像路により映像を伝送するための映像撮像部を有する。
【００１３】
前記居室端末の複数台に、画像データ、音声データおよびプログラムデータの少なくとも１つのデータを全ての居室端末のうち所定の居室端末に分割して予め保存するデータ記憶部が設けられている。
【００１４】
全ての居室端末には、全ての居室端末のうち何れの居室端末に何れのデータが保存されているかが記憶されたデータ所在位置を予め保持する位置記憶部が設けられている。
【００１５】
このように構成された集合住宅用インターホン装置において、画面、音声その他のデータを分割して複数台の居室端末に分散し保存し別の居室端末と共有するため、個々の居室端末の記憶部、例えば不揮発メモリの容量が少なくて済むようになる。
【発明の実施の形態】
【００１６】
以下、本発明の集合住宅用インターホン装置をその好ましい実施の形態例について、図面にしたがって説明する。
【００１７】
図１において、本発明の集合住宅用インターホンは、居室内に設置された複数台の居室端末１a・・・１fとマンション等の玄関に設置された１台もしくは複数台の集合玄関機２とが幹線Ｌ1で接続されている。
【００１８】
居室端末１a・・・１fは、外部機器である集合玄関機２との画面、音声その他のデータの通信を行うデータ伝送部１１、呼出通話を行う呼出通話部１２、居室端末１a・・・１f、集合玄関機２間の呼出、通話に必要なメニュー画面や集合玄関機２で撮像された映像を表示する表示部１３、留守の場合には集合玄関機２での訪問者の音声を予め録音し、録音された音声を再生する音声再生部１５を有する。
【００１９】
集合玄関機２は、外部機器である居室端末１a・・・１fとのデータの通信を行うデータ伝送部２１と、通話路により呼出通話を行う呼出通話部２２と、映像を撮影し映像路により映像を伝送するための映像撮像部２３とを有する。
【００２０】
居室端末の１台もしくは複数台には、全てのデータを全ての居室端末のうち所定の居室端末１aに分割して予め保存するデータ記憶部１４aが設けられている。図示の例において、居室端末１a・・・１fのデータ記憶部１４aには全て異なるデータＡ〜Ｆがそれぞれ保存されている。
【００２１】
全ての居室端末には、全ての居室端末のうち何れの居室端末に何れのデータが保存されているかが記憶されたデータ所在位置を予め保持する位置記憶部１４bが設けられている。
【００２２】
この集合住宅用インターホンにおいて、画面、音声その他のデータとして使用されるデータは、画像データ、音声データおよびプログラムデータの少なくとも１つである。
【００２３】
このように構成された集合住宅用インターホンにおいて、例えばメニュー画面について言えば、全てのメニュー画面は予めそれぞれの居室端末１a・・・１fに分割してデータ記憶部１４aで保存されている。
【００２４】
全てのメニュー画面について、どの居室端末１a・・・１fのうち何れの居室端末に保存されているかが記憶された保存場所リストをそれぞれの居室端末１a・・・１fが位置記憶部１４ｂに保持している。
【００２５】
例えば、或るメニュー画面が居室端末１aのデータ記憶部１４aに保存され、このメニュー画面が居室端末１aに保存されているという保存場所リストをそれぞれの居室端末１a・・・１fが位置記憶部１４ｂに保持しているとする。
【００２６】
いま、このメニュー画面を居室端末１bの表示部１３にて表示する場合、居室端末１bの位置記憶部１４ｂにて保存された保存場所リストより該当する画面の保存された居室端末１aの居室番号のデータを取得し、該当した居室端末１aとデータ伝送部１１で幹線Ｌ1を介して、データ通信を行ってメニュー画面を取得し、居室端末１bの表示部１３にてメニュー画面を表示する。
【００２７】
なお、以上の例ではメニュー画面について説明したが、本発明の集合住宅用インターホン装置では、メニュー画面以外の画像データ、音声データおよびプログラムデータについても同様に適用することができる。
【００２８】
また、集合玄関機２の映像撮像部２３で撮像された映像をデータ伝送部２１、幹線Ｌ1、データ伝送部１１を介して映像路により居室端末１a・・・１fの表示部１３へ表示し、かつデータ伝送部２１、幹線Ｌ1、データ伝送部１１を介して通話路により呼出通話部１２と集合玄関機２の呼出通話部２２で通話を行うことができる。
【００２９】
また、留守の場合には集合玄関機２での訪問者の音声を予め録音し、録音された音声を音声再生部１５で再生することができる。
【発明の効果】
【００３０】
以上の説明から明らかなように、本発明の集合住宅用インターホン装置によれば、画面、音声その他のデータを分割して複数台の居室端末に分散し保存し別の居室端末と共有するため、個々の居室端末の記憶部、例えば不揮発メモリの容量が少なくて済むようになる。
【図面の簡単な説明】
【図１】  図１は本発明の実施例による集合住宅用インターホン装置のブロック図。
【図２】  図２は本発明の実施例による集合住宅用インターホン装置における居室端末のブロック図。
【図３】  図３は本発明の実施例による集合住宅用インターホン装置における集合玄関機のブロック図。
【図４】  図４は従来の集合住宅用インターホン装置のブロック図。
【図５】  図５は従来の集合住宅用インターホン装置における居室端末のブロック図。
【図６】  図６は従来の集合住宅用インターホン装置における集合玄関機のブロック図。
【符号の説明】
１a−１f・・居室端末
１a・・・・全てのデータを分割して予め保存する居室端末
１１・・・・データ伝送部
１２・・・・呼出通話部
１４a・・・データ記憶部
１４b・・・何れの居室端末に何れのデータが保存されているかが記憶された
データ所在位置を予め保持する位置記憶部
２・・・・集合玄関機
２１・・・データ伝送部
２２・・・呼出通話部
２３・・・映像撮像部
【図１】
0004143317.tif 000002
【図２】
0004143317.tif 000003
【図３】
0004143317.tif 000004
【図４】
0004143317.tif 000005
【図５】
0004143317.tif 000006
【図６】
0004143317.tif 000007